(57)【要約】【課題】部品を共通化した場合における部品の取り違えを確実に防止する。【解決手段】記録媒体を挿通可能なディスク挿入口４２を有するディスク挿入口パネル４１は、ＤＶＤ用ディスクガイドとＣＤ用ディスクガイドとを取付可能に構成され、これらＤＶＤ用ディスクガイドとＣＤ用ディスクガイドとに各々対応する識別表示４８、４９が設けられており、ＤＶＤ用ディスクガイドまたはＣＤ用ディスクガイドを取り付けた場合に、識別表示４８、４９のうち対応する側のみが視認可能となる。【選択図】図３
2008065891.tif 000002
【特許請求の範囲】
【請求項１】
記録媒体を挿通可能な開口部を有する支持部材と、
前記支持部材に取り付けられ、前記記録媒体の挿入または排出時に前記記録媒体を案内するガイド部材と、を備え、
前記支持部材は複数種類の前記ガイド部材を取付可能に構成され、
前記支持部材には、複数種類の前記ガイド部材に各々対応する複数の識別部が設けられ、
前記支持部材に前記ガイド部材を取り付けた場合に、この前記ガイド部材に対応する前記識別部のみが視認可能となること、
を特徴とする記録媒体再生装置。
【請求項２】
前記支持部材は、当該記録媒体再生装置の前面に露出するパネルであり、
前記識別部は、前記支持部材の裏面側において前記開口部の下部に並べて設けられたこと、を特徴とする請求項１記載の記録媒体再生装置。
【請求項３】
前記ガイド部材には、前記支持部材に取り付けられた状態で、他の種類の前記ガイド部材に対応する前記識別部を隠す突起が設けられたこと、を特徴とする請求項１または２記載の記録媒体再生装置。
【発明の詳細な説明】
【技術分野】
【０００１】
本発明は、記録媒体を再生する記録媒体再生装置に関する。
【背景技術】
【０００２】
従来、一つの挿入口を介して異なる種類の記録媒体を挿入及び排出する装置が知られている（例えば、特許文献１参照）。
【特許文献１】特開平１０−３１６２５４号公報
【発明の開示】
【発明が解決しようとする課題】
【０００３】
上記の装置のように、一つの構成で複数の用途に対応可能とすることは、低コスト化を図る上でよく知られた方法である。また、低コスト化を図るために、異なる用途に用いる装置において部品を共通化することも、しばしば行われている。
一般に、異なる装置に用いる部品を共通化すると、部品の取り違えが生じることが懸念される。具体的な例を挙げれば、専用部品と共通部品とを組み合わせてユニット化することで、複数種類の装置の各々に対応する複数種類のユニットを製造する場合に、これら複数種類のユニットを外観から区別することは難しい。このため、製造工程において部品の取り違えが起きる可能性が否定できない。
【０００４】
そこで、本発明は、上述した課題を鑑みてなされたものであり、部品を共通化した場合における部品の取り違えを確実に防止することを目的としている。
【課題を解決するための手段】
【０００５】
上記課題を解決するため、本発明は、記録媒体を挿通可能な開口部を有する支持部材と、前記支持部材に取り付けられ、前記記録媒体の挿入または排出時に前記記録媒体を案内するガイド部材とを備え、前記支持部材は複数種類の前記ガイド部材を取付可能に構成され、前記支持部材には、複数種類の前記ガイド部材に各々対応する複数の識別部が設けられ、前記支持部材に前記ガイド部材を取り付けた場合に、この前記ガイド部材に対応する前記識別部のみが視認可能となることを特徴とする記録媒体再生装置を提供する。
【０００６】
本発明によれば、支持部材に複数種類のガイド部材を取付可能であり、支持部材には、複数種類のガイド部材に各々対応する複数の識別部を設け、支持部材にガイド部材を取り付けた場合に、このガイド部材に対応する識別部のみが視認可能となるので、識別部を見るだけで、支持部材に取り付けられたガイド部材の種類を判別できる。これにより、複数種類のガイド部材に対して一つの支持部材を共通化した場合に、ガイド部材を支持部材に取り付けた後であっても、ガイド部材の種類を簡単に区別できるので、製造工程における部品の取り違えを確実に防止でき、部品の共通化に伴うコストの低減、部品点数の低減等を容易に実現できる。
【０００７】
本発明において、前記支持部材は、当該記録媒体再生装置の前面に露出するパネルであり、前記識別部は、前記支持部材の裏面側において前記開口部の下部に並べて設けられた構成としてもよい。
【０００８】
また、本発明において、前記ガイド部材には、前記支持部材に取り付けられた状態で、他の種類の前記ガイド部材に対応する前記識別部を隠す突起が設けられた構成としてもよい。この場合、支持部材に取り付けたガイド部材の種類以外の識別部が、ガイド部材の突起によって隠されるので、ガイド部材の種類に対応する識別部だけを視認可能とする構成を、容易に、かつ低コストで実現できる。
【発明の効果】
【０００９】
本発明によれば、複数種類のガイド部材に対して一つの支持部材を共通化した場合における部品の取り違えを確実に防止でき、部品の共通化に伴うコストの低減、部品点数の低減等を容易に実現できる。
【発明を実施するための最良の形態】
【００１０】
以下、本発明を適用した実施形態について、図面に基づいて説明する。
図１は、本実施形態に係るオーディオ装置１の構成を示す外観斜視図である。このオーディオ装置１は、コンパクトディスク（ＣＤ）やＤＶＤ等のディスク型記録媒体から音楽データを読み取って、音声信号を再生出力する装置である。
オーディオ装置１は、車輌や船舶等の移動体に、スピーカとともに搭載され、上記車輌や船舶等に接続される電源供給ケーブル（図示略）、上記スピーカに接続されるスピーカケーブル（図示略）等が、オーディオ装置１に接続される。
【００１１】
記録媒体再生装置としてのオーディオ装置１は、略箱型のオーディオ装置本体２にフェース部３を装着して構成される。オーディオ装置本体２は、上述した記録媒体から音楽データを読み取るドライブ装置や、制御回路等が実装された制御基板等を内蔵する。
フェース部３は、上記車輌や船舶等に搭載された状態で、外部に露出する部分であり、ユーザがオーディオ装置１を操作するためのインタフェースとしての機能を有する。
詳細には、フェース部３は、オーディオ装置本体２に固定されたベース部３１に、操作パネル３２を回動可能に取り付けた構成を有する。
操作パネル３２は、ユーザが操作を行うためのスイッチ３３、ダイヤルスイッチ３４、ノブ３５等を備えている。また、操作パネル３２には、オーディオ装置１の動作状態や再生中の音声に係る情報等を表示する表示部３６が配されている。
【００１２】
図２は、操作パネル３２を開いた状態を示す斜視図である。この図２に示すように、操作パネル３２は、下部に設けられたヒンジ部３８を介して回動可能にベース部３１に連結されており、このヒンジ部３８を中心として回動するように、開閉できる。
【００１３】
操作パネル３２を開いた状態では、ベース部３１の前面略中央に、支持部材としてのディスク挿入口パネル４１が露出する。ディスク挿入口パネル４１には、オーディオ装置本体２に内蔵されるドライブ装置（図示略）の挿入口に連通するディスク挿入口（開口部）４２が開口している。ここで、オーディオ装置本体２が内蔵するドライブ装置は、いわゆるスロットイン型のドライブであり、ディスク挿入口４２から挿入されたディスク型記録媒体は、そのまま上記ドライブ装置の搬送機構（図示略）によって、ドライブ装置内部へ搬送される。
【００１４】
上述のように、オーディオ装置本体２には、ＣＤやＤＶＤを再生するドライブ装置（図示略）が内蔵されるが、ディスク型記録媒体としてＣＤを用いる場合とＤＶＤを用いる場合とでは、ディスク挿入口４２から出入りさせる際の搬送経路が異なっている。すなわち、オーディオ装置本体２が内蔵するドライブ装置で用いるディスク型記録媒体の種類に応じて、構成が変更される。
以下、ディスク型記録媒体としてＤＶＤを用いる場合の構成例を第１の構成例とし、ＣＤを用いる場合の構成例を第２の構成例として、説明する。
【００１５】
（第１の構成例）
図３は、第１の構成例におけるディスク挿入口パネル４１及びその周辺構造を示す分解斜視図であり、ディスク挿入口パネル４１の背面側、すなわちオーディオ装置本体２側からみた図である。また、図４はディスク挿入口パネル４１の背面図であり、周辺構造をも図示している。図５は、図４のＡ−Ａ’線における断面視図である。
【００１６】
図３〜５の各図に示すように、ディスク挿入口パネル４１の背面には、ビス４５によって、ガイド部材としてのＤＶＤ用ディスクガイド５が取り付けられる。ＤＶＤ用ディスクガイド５には、その厚み方向に延びる縁が設けられた開口部５１が形成され、この開口部５１はディスク挿入口４２と、オーディオ装置本体２が内蔵するドライブ装置（図示略）のディスク挿入口（図示略）とに連通しており、ドライブ装置を出入りするＤＶＤが通過する孔である。
さらに、ＤＶＤ用ディスクガイド５の開口部５１の下方には、突起５２が形成されている。突起５２は、ディスク挿入口パネル４１の表面と略平行となる板状の突起である。
【００１７】
ディスク挿入口パネル４１とＤＶＤ用ディスクガイド５との間には、レザーシート４３が介設される。レザーシート４３は不織布や合成樹脂製フィルム等からなるシートであり、ＤＶＤが通過可能なスリット４４が形成されている。ＤＶＤがスリット４４を通過する際には、スリット４４の縁で、その表面に付着した塵埃等が除去される。
【００１８】
そして、ディスク挿入口パネル４１の背面側（裏面側）には、識別表示部４７が設けられる。識別表示部４７は、「ＤＶＤ」との文字を表示する識別表示（識別部）４８と、「ＣＤ」との文字を表示する識別表示（識別部）４９とが並んだ構成を有する。
識別表示４８は、第１の構成例のようにＤＶＤ用ディスクガイド５がディスク挿入口パネル４１に取り付けられた場合に視認可能となる表示である。また、識別表示４９は、後述する第２の構成例のように、ＣＤ用ディスクガイド６がディスク挿入口パネル４１に取り付けられた場合に視認可能となる表示である。
【００１９】
すなわち、オーディオ装置１の組立工程において、ディスク挿入口パネル４１にＤＶＤ用ディスクガイド５またはＣＤ用ディスクガイド６を取り付けた状態で、識別表示部４７を見るだけで、ＤＶＤ用ディスクガイド５とＣＤ用ディスクガイド６のどちらが取り付けられているかを容易に識別できるようになっている。
【００２０】
具体的には、図４に示すように、ＤＶＤ用ディスクガイド５をディスク挿入口パネル４１に取り付けた場合、突起５２によって識別表示４９が覆い隠されるため、識別表示４８のみが視認可能となる。識別表示４８は、文字「ＤＶＤ」により、ＤＶＤ用ディスクガイド５が取り付けられた旨を表示している。このため、オーディオ装置１の組立工程で、組立に従事する作業者にとっては、ディスク挿入口パネル４１にＤＶＤ用ディスクガイド５が取り付けられていることが簡単にわかる。
【００２１】
ここで、識別表示４８、４９は、識別表示４８と識別表示４９とを視認により区別できるものであればよく、文字、図、絵柄、或いはこれらの組み合わせのいずれであってもよいし、同一の文字、図、絵柄等であって識別表示４８と識別表示４９とで色が異なる構成としてもよい。また、識別表示４８、４９の具体的構成は、上記の文字、図、絵柄等がディスク挿入口パネル４１背面の凹凸により顕れるものとしてもよいし、シルクスクリーン印刷等の手法により形成されるものであってもよい。
また、識別表示４８と識別表示４９とは、互いに重ならない位置にあればよく、図３に示すように横に並んだ構成に限定されず、離隔して配置されてもよいし、上下に並んだ構成としてもよい。
【００２２】
（第２の構成例）
図６は、第２の構成例におけるディスク挿入口パネル４１及びその周辺構造を示す分解斜視図であり、ディスク挿入口パネル４１の背面側、すなわちオーディオ装置本体２側からみた図である。また、図７はディスク挿入口パネル４１の背面図であり、周辺構造をも図示している。図８は、図７のＡ−Ａ’線における断面視図である。
【００２３】
図６〜８の各図に示すように、第２の構成例では、ディスク挿入口パネル４１の背面に、ビス４５によって、ガイド部材としてのＣＤ用ディスクガイド６が取り付けられ、ディスク挿入口パネル４１とＣＤ用ディスクガイド６との間にはレザーシート４３が介設される。
【００２４】
ＣＤ用ディスクガイド６には、その厚み方向に延びる縁が設けられた開口部６１が形成され、この開口部６１はディスク挿入口４２と、オーディオ装置本体２が内蔵するドライブ装置（図示略）のディスク挿入口（図示略）とに連通し、ドライブ装置を出入りするＣＤが通過する孔である。さらに、ＣＤ用ディスクガイド６の開口部６１の下方には、ディスク挿入口パネル４１の表面と略平行となる板状の突起６２が設けられている。
【００２５】
オーディオ装置１の組立工程において、ディスク挿入口パネル４１にＣＤ用ディスクガイド６またはＣＤ用ディスクガイド６を取り付けた状態では、突起６２によって識別表示４８が覆い隠される。このため、識別表示部４７の文字「ＣＤ」を表示する識別表示４９のみが視認可能となるので、オーディオ装置１の組立工程で組立に従事する作業者にとっては、ディスク挿入口パネル４１にＣＤ用ディスクガイド６が取り付けられていることが簡単にわかる。
【００２６】
上記第１及び第２の構成例として示したように、ディスク挿入口パネル４１には、使用するディスク型記録媒体の種類に応じて、ＤＶＤ用ディスクガイド５とＣＤ用ディスクガイド６との一方を取付可能に構成されている。ＤＶＤ用ディスクガイド５とＣＤ用ディスクガイド６とは、それぞれ、オーディオ装置本体２に内蔵されるドライブ装置（図示略）において、ＤＶＤを用いる場合と、ＣＤを用いる場合とに最適化された部材である。具体的には、ＤＶＤ用ディスクガイド５の開口部５１は上記ドライブ装置からＤＶＤが出入りする際の搬送経路に沿った形状の縁を有し、ＣＤ用ディスクガイド６の開口部６１は、ＣＤが出入りする際の搬送経路に沿った形状の縁を有する。
【００２７】
このため、オーディオ装置本体２に内蔵されるドライブ装置の種類・仕様に応じて、ＤＶＤ用ディスクガイド５とＣＤ用ディスクガイド６とが使い分けられる。
しかしながら、上記図３〜図８に示したように、ＤＶＤ用ディスクガイド５とＣＤ用ディスクガイド６とは、一見してよく似た形状となっている。このため、ディスク挿入口パネル４１にＤＶＤ用ディスクガイド５またはＣＤ用ディスクガイド６を取り付けた後で、その形状をもとに判断することは難しい。これは、共通のディスク挿入口パネル４１及びオーディオ装置本体２に取付可能とするために、必然的に生じることであり、回避は容易でない。
【００２８】
この点において、本発明を適用した実施形態の構成では、ディスク挿入口パネル４１の背面側（裏面側）に識別表示部４７を設け、この識別表示部４７を構成する識別表示４８、４９のうち、ディスク挿入口パネル４１にＤＶＤ用ディスクガイド５を取り付けた場合は識別表示４８のみが露出して視認可能となり、ＣＤ用ディスクガイド６を取り付けた場合は識別表示４９のみが露出して視認可能となる。
これにより、識別表示部４７においては識別表示４８、４９のいずれか一方のみが視認可能なため、識別表示部４７を見れば、ＤＶＤ用ディスクガイド５とＣＤ用ディスクガイド６とのどちらがディスク挿入口パネル４１に取り付けられているかを簡単に区別できる。従って、ＣＤ用のオーディオ装置１と、ＤＶＤ用のオーディオ装置１とを組み立てる工程において、共通化された部品としてのディスク挿入口パネル４１を用いる際に、部品の取り違えを確実に防止することができる。これにより、製造工程における部品の取り違えを確実に防止でき、部品の共通化に伴うコストの低減、部品点数の低減等を容易に実現できる。
【００２９】
また、ディスク挿入口パネル４１の裏面側に設けられた識別表示部４７を、ＤＶＤ用ディスクガイド５、ＣＤ用ディスクガイド６が有する突起５２、６２によって隠す構成としたので、取り付けられた部品に対応する識別表示のみを視認可能とする構成を、容易に、かつ低コストで実現できる。
【００３０】
なお、上記実施形態においては、ディスク挿入口パネル４１に対して、ＤＶＤ用ディスクガイド５とＣＤ用ディスクガイド６との２種類の部品を組み合わせて用いる構成とし、ディスク挿入口パネル４１の裏面側に、これら２種類の部品に対応する識別表示４８、４９からなる識別表示部４７を設けた構成としたが、本発明はこれに限定されるものではない。例えば、３種類の部品とディスク挿入口パネル４１とを組み合わせる場合には、３つの識別表示を有する識別表示部４７を形成すればよく、４種類以上の部品を用いる場合も同様である。この場合、識別表示部４７には、３またはそれ以上の数の識別表示を並べて設ければよく、容易に実現可能である。
また、ディスク挿入口パネル４１において識別表示部４７を設ける位置について制限はなく、ディスク挿入口パネル４１にＤＶＤ用ディスクガイド５またはＣＤ用ディスクガイド６を取り付けた場合に容易に視認可能な位置であればよく、例えば、ディスク挿入口４２の上に設けてもよい。
その他、上記実施形態における細部構成についても、本発明の趣旨を逸脱することのない範囲において、任意に変更可能であることは勿論である。
【図面の簡単な説明】
【００３１】
【図１】実施形態に係るオーディオ装置の構成を示す外観斜視図である。
【図２】操作パネルを開いた状態を示す斜視図である。
【図３】第１の構成例におけるディスク挿入口パネル及びその周辺構造を示す分解斜視図である。
【図４】第１の構成例におけるディスク挿入口パネルの背面図である。
【図５】図４のＡ−Ａ’線における断面視図である。
【図６】第２の構成例におけるディスク挿入口パネル及びその周辺構造を示す分解斜視図である。
【図７】第２の構成例におけるディスク挿入口パネルの背面図である。
【図８】図７のＢ−Ｂ’線における断面視図である。
【符号の説明】
【００３２】
１  オーディオ装置（記録媒体再生装置）
２  オーディオ装置本体
３  フェース部
５  ＤＶＤ用ディスクガイド（ガイド部材）
６  ＣＤ用ディスクガイド（ガイド部材）
３１  ベース部
３２  操作パネル
３３  スイッチ
３４  ダイヤルスイッチ
３５  ノブ
３６  表示部
３８  ヒンジ部
４１  ディスク挿入口パネル（支持部材）
４２  ディスク挿入口（開口部）
４３  レザーシート
４４  スリット
４５  ビス
４７  識別表示部
４８、４９  識別表示（識別部）
５１、６１  開口部
５２、６２  突起
【図１】
2008065891.tif 000003
【図２】
2008065891.tif 000004
【図３】
2008065891.tif 000005
【図４】
2008065891.tif 000006
【図５】
2008065891.tif 000007
【図６】
2008065891.tif 000008
【図７】
2008065891.tif 000009
【図８】
2008065891.tif 000010